【手続補正書】
【提出日】令和1年6月21日(2019.6.21)
【手続補正１】
【補正対象書類名】明細書
【補正対象項目名】００３５
【補正方法】変更
【補正の内容】
【００３５】
本発明を特定の実施形態を参照して説明してきたが、これらの実施形態は、本発明の原理及び用途の単なる例示にすぎないことを理解されたい。それ故、例示的実施形態に対して多くの修正がなされてもよいこと、及び添付の請求項に規定されている本発明の精神及び範囲から逸脱することなく他の構成が考案されてもよいことを理解されたい。例えば、前述の一実施形態の特徴は、本発明の範囲から逸脱することなく、他の実施形態の特徴と組み合されてもよい。
[実施形態]
[実施形態１]
ケーブルを割スリーブ内に取り付けるための工具であって、
第１及び第２のガイド部分と、
前記第１のガイド部分から延在し，その半径方向外方に位置する第３の円弧状ガイド部分であって、前記第１及び第３のガイド部分は、それらの間に第１のガイド長孔を形成している、第３の円弧状ガイド部分と、
前記第２のガイド部分から延在し、その半径方向外方に位置する第４の円弧状ガイド部分であって、前記第２及び第４のガイド部分は、それらの間に第２のガイド長孔を形成している、第４の円弧状ガイド部分と、
を備える、工具。
[実施形態２]
前記第３及び第４のガイド部分は、それぞれの第１の端において互いに接合されており、
前記第３及び第４のガイド部分は，前記第１の端の反対側にそれぞれの第２の端を備えており、該第２の端は、互いに離間しており、
前記第２の端は、前記第１及び第２のガイド部分の互いに離間したそれぞれの第３の端と協働して、ケーブル長孔を画定している、
実施形態１に記載の工具。
[実施形態３]
前記第３及び第４のガイド部分は、それぞれの第１の端において互いに離間しており、
前記第３及び第４のガイド部分は、前記第１の端の反対側にそれぞれの第２の端を備えており、該第２の端は、互いに離間しており、
前記第２の端は、前記第１及び第２のガイド部分のそれぞれの第３の端と協働して、ケーブル長孔を画定している、
実施形態１に記載の工具。
[実施形態４]
ケーブルを割スリーブ内に取り付けるための工具であって、
第１及び第２の円弧状横方向延長部を有する中心部分と、
前記第１の横方向延長部から延在し，その半径方向外方に位置する第１の円弧状ガイド部分であって、前記第１のガイド部分及び前記第１の横方向延長部は、それらの間に第１のガイド長孔を形成している、第１の円弧状ガイド部分と、
前記第２の横方向延長部から延在し，その半径方向外方に位置する第２の円弧状ガイド部分であって、前記第２のガイド部分及び前記第２の横方向延長部は、それらの間に第２のガイド長孔を形成している、第２の円弧状ガイド部分と、
を備える、工具。
[実施形態５]
前記第１及び第２の横方向延長部及び前記第１及び第２のガイド部分は、各々、円弧区分を画定している、実施形態４に記載の工具。
[実施形態６]
前記第１のガイド部分は、第１の接続部分によって前記第１の横方向延長部に接続されており、前記第２のガイド部分は、第２の接続部分によって前記第２の横方向延長部に接続されている、実施形態４に記載の工具。
[実施形態７]
１つ又は複数のケーブルを受容するためのケーブル長孔を形成するために、前記第１及び第２の接続部分は、互いに離間している、実施形態６に記載の工具。
[実施形態８]
前記第１の接続部分又は前記第２の接続部分の少なくとも一方から離れる方に延在する少なくとも１つの弾性フラップ
をさらに備える、実施形態７に記載の工具。
[実施形態９]
前記少なくとも１つの弾性フラップは、前記ケーブル長孔に向う方又は前記ケーブル長孔から離れる方に撓むように構成されている、実施形態８に記載の工具。
[実施形態１０]
前記少なくとも１つの弾性フラップは、前記第１の接続部分から前記第２の接続部分に向かって延在する第１の弾性フラップと、前記第２の接続部分から前記第１の接続部分に向かって延在する第２の弾性フラップとを含んでおり、前記第１及び第２の弾性フラップは、前記ケーブル長孔内において互いに連結されないようになっている、実施形態８に記載の工具。
[実施形態１１]
前記第１のガイド部分の終端、前記第２のガイド部分の終端、及び前記中心部分の底は、単一平面に位置している、実施形態４に記載の工具。
[実施形態１２]
前記第１のガイド長孔は、片側において前記第１の接続部分によって封鎖されており、前記第２のガイド長孔は、片側において前記第２の接続部分によって封鎖されている、実施形態６に記載の工具。
[実施形態１３]
前記第１の横方向延長部の半径方向外方に位置する第３の円弧状ガイド部分であって、前記第１及び第３のガイド部分は、前記第１の横方向延長部分と協働して、前記第１のガイド長孔を形成している、第３の円弧状ガイド部分と、
前記第２の横方向延長部の半径方向外方に位置する第４の円弧状ガイド部分であって、前記第２及び第４のガイド部分は、前記第２の横方向延長部と協働して、前記第２のガイド長孔を形成している、第４の円弧状ガイド部分と、
をさらに備える、実施形態４に記載の工具。
[実施形態１４]
前記第１及び第３のガイド部分は、互いに離間しており、それらの間に第１のスリーブ長孔を形成しており、前記第２及び第４のガイド部分は、互いに離間しており、それらの間に第２のスリーブ長孔を形成している、実施形態１３に記載の工具。
[実施形態１５]
１つ又は複数のケーブルを固定するためのシステムであって、
第１の終端から第２の終端に長手方向に延在すると共に第１の側部から第２の側部に横方向に延在する割スリーブであって、外部付加力が作用しない時、前記第１の側部が前記第２の側部に少なくとも部分的に重なる形態に付勢されている、割スリーブと、
前記割スリーブに組み込まれるように構成された工具であって、
第１及び第２の円弧状横方向延長部を有する中心部分と、
前記第１の横方向延長部の半径方向外方に位置する第１の円弧状ガイド部分であって、前記第１のガイド部分及び前記第１の横方向延長部は、それらの間に第１のガイド長孔を形成している、第１の円弧状ガイド部分と
前記第２の横方向延長部の半径方向外方に位置する第２の円弧状ガイド部分であって、前記第２のガイド部分及び前記第２の横方向延長部は、それらの間に第２のガイド長孔を形成している、第２の円弧状ガイド部分と、
を備える、工具と、
を備え、
前記割スリーブが前記工具に組み込まれた時、前記第１のガイド長孔は、前記割スリーブの前記第１の側部に沿って摺動するように構成されており、前記第２のガイド長孔は、前記割スリーブの前記第２の側部に沿って摺動するように構成されている、システム。
[実施形態１６]
前記第１のガイド部分は、第１の接続部分によって前記第１の横方向延長部に接続されており、前記第２のガイド部分は、第２の接続部分によって前記第２の横方向延長部に接続されている、実施形態１５に記載のシステム。
[実施形態１７]
前記工具が前記割スリーブに組み込まれた時、前記割スリーブの前記第１の側部の一部は、前記第１の接続部分に隣接して位置し、前記割スリーブの前記第２の側部の一部は、前記第２の接続部分に隣接して位置するようになっている、実施形態１６に記載のシステム。
[実施形態１８]
前記工具が前記割スリーブに組み込まれた時、前記割スリーブの前記第１及び第２の側部間の部分は、片側のみが前記工具によって拘束されるようになっている、実施形態１７に記載のシステム。
[実施形態１９]
前記工具が前記割スリーブに組み込まれた時、ケーブル長孔が、前記第１及び第２の接続部分間に画定され、前記割スリーブの前記第１及び第２の側部の前記一部間に延び、１つ又は複数のケーブを受容するようになっている、実施形態１７に記載のシステム。
[実施形態２０]
第１の接続部分又は第２の接続部分の少なくとも一方から離れる方に延在する少なくとも１つの弾性フラップをさらに備える、実施形態１９に記載のシステム。
[実施形態２１]
前記少なくとも１つの弾性フラップは、前記ケーブル長孔に向う方又は前記ケーブル長孔から離れる方に撓むように構成されている、実施形態２０に記載のシステム。
[実施形態２２]
前記少なくとも１つの弾性フラップは、前記第１の接続部分から前記第２の接続部分に向かって延在する第１の弾性フラップと、前記第２の接続部分から前記第１の接続部分に向かって延在する前記第２の弾性フラップから延在する第２の弾性フラップとを含んでおり、前記第１及び第２の弾性フラップは、前記ケーブル長孔内において互いに連結されないようになっている、実施形態２０に記載のシステム。
[実施形態２３]
前記割スリーブの前記第１の終端は、第１の厚みを有しており、前記割スリーブの前記第２の終端は、第２の厚みを有しており、前記割スリーブの前記第１及び第２の終端間の中央部分は、第３の厚みを有しており、前記第１及び第２の厚みは、前記第３の厚みよりも大きくなっている、実施形態１５に記載のシステム。
[実施形態２４]
前記第１及び第２のガイド長孔は、各々、前記第３の厚みよりも大きく前記第１及び第２の厚みよりも小さい幅を有している、実施形態２３に記載のシステム。
【手続補正２】
【補正対象書類名】特許請求の範囲
【補正対象項目名】全文
【補正方法】変更
【補正の内容】
【特許請求の範囲】
【請求項１】
一つまたは複数のケーブルを固定するためのシステムであって、
第１の終端から第２の終端に長手方向に延在すると共に第１の側部から第２の側部に横方向に延在する割スリーブであって、外部付加力が作用しない時、前記第１の側部が前記第２の側部に少なくとも部分的に重なる形態に付勢されている、割スリーブと、
第１及び第２の円弧状横方向延長部を有する中心部分と、
前記第１の横方向延長部から延在し，その半径方向外方に位置する第１の円弧状ガイド部分であって、前記第１のガイド部分及び前記第１の横方向延長部は、それらの間に第１のガイド長孔を形成している、第１の円弧状ガイド部分と、
前記第２の横方向延長部から延在し，その半径方向外方に位置する第２の円弧状ガイド部分であって、前記第２のガイド部分及び前記第２の横方向延長部は、それらの間に第２のガイド長孔を形成している、第２の円弧状ガイド部分と、
前記割スリーブが前記工具に組み込まれた時、前記第１のガイド長孔は、前記割スリーブの前記第１の側部に沿って摺動するように構成されており、前記第２のガイド長孔は、前記割スリーブの前記第２の側部に沿って摺動するように構成されている、システム。
【請求項２】
前記第１及び第２の横方向延長部及び前記第１及び第２のガイド部分は、各々、円弧区分を画定している、請求項１に記載のシステム。
【請求項３】
前記第１のガイド部分は、第１の接続部分によって前記第１の横方向延長部に接続されており、前記第２のガイド部分は、第２の接続部分によって前記第２の横方向延長部に接続されている、請求項１に記載のシステム。
【請求項４】
１つ又は複数のケーブルを受容するためのケーブル長孔を形成するために、前記第１及び第２の接続部分は、互いに離間している、請求項３に記載のシステム。
【請求項５】
前記第１の接続部分又は前記第２の接続部分の少なくとも一方から離れる方に延在する少なくとも１つの弾性フラップ
をさらに備える、請求項４に記載のシステム。
【請求項６】
前記少なくとも１つの弾性フラップは、前記ケーブル長孔に向う方又は前記ケーブル長孔から離れる方に撓むように構成されている、請求項５に記載のシステム。
【請求項７】
前記少なくとも１つの弾性フラップは、前記第１の接続部分から前記第２の接続部分に向かって延在する第１の弾性フラップと、前記第２の接続部分から前記第１の接続部分に向かって延在する第２の弾性フラップとを含んでおり、前記第１及び第２の弾性フラップは、前記ケーブル長孔内において互いに連結されないようになっている、請求項５に記載のシステム。
【請求項８】
前記第１のガイド部分の終端、前記第２のガイド部分の終端、及び前記中心部分の底は、単一平面に位置している、請求項１に記載のシステム。
【請求項９】
前記第１のガイド長孔は、片側において前記第１の接続部分によって封鎖されており、前記第２のガイド長孔は、片側において前記第２の接続部分によって封鎖されている、請求項３に記載のシステム。
【請求項１０】
前記第１の横方向延長部の半径方向外方に位置する第３の円弧状ガイド部分であって、前記第１及び第３のガイド部分は、前記第１の横方向延長部分と協働して、前記第１のガイド長孔を形成している、第３の円弧状ガイド部分と、
前記第２の横方向延長部の半径方向外方に位置する第４の円弧状ガイド部分であって、前記第２及び第４のガイド部分は、前記第２の横方向延長部と協働して、前記第２のガイド長孔を形成している、第４の円弧状ガイド部分と、
をさらに備える、請求項１に記載のシステム。
【請求項１１】
前記第１及び第３のガイド部分は、互いに離間しており、それらの間に第１のスリーブ長孔を形成しており、前記第２及び第４のガイド部分は、互いに離間しており、それらの間に第２のスリーブ長孔を形成している、請求項１０に記載のシステム。
【請求項１２】
前記割スリーブの前記第１の終端は、第１の厚みを有しており、前記割スリーブの前記第２の終端は、第２の厚みを有しており、前記割スリーブの前記第１及び第２の終端間の中央部分は、第３の厚みを有しており、前記第１及び第２の厚みは、前記第３の厚みよりも大きくなっている、請求項１に記載のシステム。
【請求項１３】
前記第１及び第２のガイド長孔は、各々、前記第３の厚みよりも大きく前記第１及び第２の厚みよりも小さい幅を有している、請求項１２に記載のシステム。